(57)【要約】【課題】容器注出口部Ｂに螺着して施蓋閉栓したキャップを開封方向に回転させて、リング状バンド部４を切り破った後に、直ちに、該キャップＡの円筒部２を閉栓方向に回転螺着して閉栓した場合に、その口栓の外形を目視するだけでリング状バンド部４が破断している事実を外観的に明確に確認、判別することを容易にする。【解決手段】液体包装容器用口栓キャップにおいて、前記円筒部２の外周に母線方向に、その円筒部２の下端まで１乃至複数のライン状溝部２ｃと、前記リング状バンド部４の外周に母線方向に１乃至複数の切欠部６とを各々外周の位相位置を整合させて設けた。【選択図】図１
2006021782.tif 000002
【特許請求の範囲】
【請求項１】
天板部１と、筒内周に螺子部２ａが設けられた円筒部２と、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に母線方向に、その円筒部２の下端まで１乃至複数のライン状溝部２ｃと、前記リング状バンド部４の外周に母線方向に、そのリング状バンド部４の下端に繋ぎ部６ａを残して、前記ライン状溝部２ｃと同数又は異数の１乃至複数の切欠部６とを、各々外周の位相位置を整合させて設けたことを特徴とする不正開封防止機能付きプラスチック口栓キャップ。
【請求項２】
天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に母線方向に、その円筒部２の下端まで１乃至複数のライン状溝部２ｃと、前記リング状バンド部４の外周に母線方向に、そのリング状バンド部４の下端に繋ぎ部６ａを残して、前記ライン状溝部２ｃと同数又は異数の１乃至複数の切欠部６とを、各々外周の位相位置を整合させて設けたことを特徴とする不正開封防止機能付きプラスチック口栓キャップ。
【請求項３】
前記円筒部２の外周面からの前記ライン状溝部２ｃの深さが、０．５ｍｍ〜３ｍｍの範囲であることを特徴とする請求項１又は２記載の不正開封防止機能付きプラスチック口栓キャップ。
【発明の詳細な説明】
【技術分野】
【０００１】
本発明は、牛乳、ジュース等の飲料や液状食品、あるいは液状非食品を充填包装する紙パック等の液体包装用紙容器をはじめとして、各種のプラスチック容器等の液体包装容器の注出口として取り付けるための不正開封防止機能付きプラスチック口栓キャップに関する。
【背景技術】
【０００２】
一般に不正開封防止機能付きプラスチック口栓は、図７（ａ）に示すように、キャップＡと、該キャップＡによって施蓋封止される開封用のプルリング１８を備えたプルオープンタイプのプルリング付きの容器注出口部Ｂ、又はプルリングの無い容器注出口部Ｂ（図示せず）からなり、キャップＡと容器注出口部Ｂとは互いに所定の開封防止構造を備え、キャップＡを注出口部Ｂに螺着して閉栓封止することができ、キャップＡを開栓した際には、再度、元の閉栓状態の形状に復元できない構造になっていて、容器の未開栓性（バージン性）を付与するために使用されている。
【０００３】
一般的に上記の不正開封防止機能付きプラスチック口栓のキャップＡとしては、例えば図７（ａ）の側断面図に示すように、天板部１と、円周面に母線方向にローレット２ｂを刻設した円筒部２と、該円筒部２の筒内周に設けた螺子部２ａと、該円筒部２の下端部に、必要に応じて設けたハーフカット部３を介してリング状に連設した薄板状のリング状バンド部４と、該リング状バンド部４の母線方向の一部に設けたリング状バンド部４を容易に破断するための易破断部として切欠部６とを備え、該バンド部４のリング内周下端に、その下端に沿うヒンジ線５ａを介して、図７（ｂ）のＬ−Ｌ平面断面図に示すリング状バンド部４下端に、そのバンド部４のリング内周に沿うようなヒンジ線５ａを介して、リング中心内方に向かって略水平方向から起立方向に折り曲げ可能に延設した複数枚の係止板５を備えた各種形態の不正開封防止機能付きプラスチックキャップＡがある。
【０００４】
ところで、上記のような不正開封防止機能付きプラスチック口栓のキャップＡは、図７（ａ）の側断面図に示すように、キャップ円筒部２の螺子部２ａを、プラスチックボトルの注出口部Ｂや紙製容器に取付けられる注出口部Ｂの円筒部１３の外周に設けた螺子部１３ａに螺着しながら、リング状バンド部４を該注出口部Ｂの外周にリング状に設けた凸部１４に嵌入して取り付けられるものであるが、その際に、図７（ｂ）の平面図に示すリング状バンド部４の下端内周に延設した複数枚の水平方向の係止板５は、容器の注出口部Ｂの外周にリング状に設けた凸部１４を乗り越えて嵌入し、折り曲げ部５ａを介して起立方向に折り曲げられ、その係止板５の先端部５ｂは、注出口部Ｂの凸部１４下部に係合して、キャップＡは、容器注出口部Ｂから外れないように係止され閉栓されて取り付けられるようになっている。なお、紙製容器に取付けられる注出口部Ｂの場合には、円筒部１３の下端外周にフランジ板１９を備え、該フランジ板１９を介して、紙製容器の開口部に取付けられる。
【０００５】
そして、図７（ａ）に示す不正開封防止機能付きプラスチック口栓の容器注出口部Ｂに螺着して施蓋したキャップＡの円筒部２を開封方向に回転させると、円筒部２とリング状バンド部４は共に、容器注出口部Ｂの上端方向に徐々に旋回移動し、容器の注出口部Ｂの円筒部１３の外周の凸部１４下部に係合している該バンド部４の係止板５には、バンド部４の直径を拡張する水平姿勢方向への応力が掛かり、バンド部４の切欠部６にも拡張による張力が掛かり、やがて、バンド部４は円筒部２に接続した状態で切欠部６から破断するとともに、ハーフカット部３を介して、円筒部２とバンド部４とは切り離され、口栓は開栓されて、不正開封が検知できるものである。
【０００６】
また、図８の側断面図に示すように、不正開封防止機能付きプラスチック口栓のキャップＡを螺着して施蓋した注出口部Ｂとしては、その外周にリング状に設けた前記凸部１４下部外周に、前記複数の係止板５の枚数に対応する数の該係止板５が嵌合する凹部が形成されるように複数の凸部１５を設けたものがあり、図７（ａ）に示す容器注出口部Ｂに螺着したキャップＡの円筒部２を開封方向に回転させると、円筒部２とリング状バンド部４は共に容器注出口部Ｂの上端方向に徐々に旋回移動しようとするが、容器の注出口部Ｂの円筒部１３の外周の凸部１４下部の各々凹部（各凸部１５の間）に係合している該バンド部４の係止板５によってリング状バンド部４は回転せず、円筒部２とリング状バンド部４は、その間のハーフカット３を介して互いに切り離され、不正開封が検知できるものである。なお、図９は、図８に示す不正開封防止機能付きプラスチック口栓のキャップＡからリング状バンド部４をハーフカット３を介して切り離した状態の側断面図である。
【０００７】
図１０（ａ）〜（ｄ）は、不正開封防止機能付きプラスチック口栓として使用される従来の一般的なキャップＡの各種構造を示す側面図であり、（ａ）に示すキャップＡは、リング状バンド部４の径が円筒部２の径より太径であり、リング状バンド部４の下部に繋ぎ部６ａのあるバンド部４破断用の切欠部６が設けられ、また、（ｂ）に示すキャップＡは、リング状バンド部４の径と円筒部２の径が略同径であり、リング状バンド部４の母線方向の一部に縦方向のいずれにも繋ぎ部６ａのないハーフカット形式によるバンド部４破断用の切欠部６が設けられ、（ｃ）に示すキャップＡは、リング状バンド部４の径と円筒部２の径が略同径であり、リング状バンド部４の下部に繋ぎ部６ａのあるバンド部４破断用の切欠部６が設けられ、（ｄ）に示すキャップＡは、リング状バンド部４の径と円筒部２の径が略同径であり、リング状バンド部４の上部に繋ぎ部６ａのあるバンド部４破断用の切欠部６が設けられている。
【０００８】
そして、上記キャップＡと注出口部Ｂとによる不正開封防止機能付きプラスチック口栓は、図１１の全体斜視図に示すように、液体包装容器２０（例えば、角筒状の液体包装用紙製容器、紙パック）の上面部２１の口栓取付け用孔設部に、整合して取り付けられるものである。
【０００９】
上記の不正開封防止機能付きプラスチック口栓のキャップＡに関する技術としては、例えば、実公昭４６−２４１４９号公報、実公昭４６−２４１５１号公報、ＵＳＰ．Ｎｏ．４５５０８４４号公報、特開平８−４８３５０号公報、特開平８−９１４０１号公報、特開平１０−２１８２１１号公報などがある。
【００１０】
また、上記プルオープンタイプのプルリング付き注出口部Ｂに関する技術としては、例えば、特開平６−２４４５９号公報、実開平５−７２７５５号などがある。
【００１１】
ところで、図１１に示すような容器２０の不正開封防止機能付きプラスチック口栓は、その容器注出口部Ｂに螺着して施蓋閉栓したキャップＡの円筒部２を開栓（開封）方向に回転させることにより、リング状バンド部４の径の拡大により、該リング状バンド部４がその切欠部６が切り破られて破断するとともに、リング状バンド部４の径の拡大と破断により、ハーフカット部３を介して円筒部２よりリング状バンド部４が切り離されることにより口栓が開栓するものである。
【００１２】
ところが、例えば、キャップＡの円筒部２を開栓（開封）方向に回転させて、リング状バンド部４を、その径の拡大により切欠部６を切り破って破断した後に、直ちに、該キャップＡの円筒部２を閉栓方向に回転螺着して閉栓した場合には、口栓は、外観的に円筒部２とリング状バンド部４がハーフカット部３において密接しており、切欠部６の幅が僅かに開いていることが確認される場合があるだけであって、その口栓の外形を目視しただけ
では、リング状バンド部４が破断している事実を外観的に明確に確認、判別することが困難な場合があった。
【００１３】
以下に、公知の特許文献を記載する。
【特許文献１】特開平６−２４４５９号公報
【特許文献２】実開平５−７２７５５号
【特許文献３】実公昭４６−２４１４９号公報
【特許文献４】実公昭４６−２４１５１号公報
【特許文献５】ＵＳＰ．Ｎｏ．４５５０８４４号公報
【特許文献６】特開平８−４８３５０号公報
【特許文献７】特開平８−９１４０１号公報
【特許文献８】特開平１０−２１８２１１号公報
【発明の開示】
【発明が解決しようとする課題】
【００１４】
本発明の課題は、不正開封防止機能付きプラスチック口栓を構成するキャップにおいて容器注出口部に螺着して施蓋閉栓したキャップを開封方向に回転させて、リング状バンド部を切り破った後に、直ちに、該キャップＡの円筒部２を閉栓方向に回転螺着して閉栓した場合において、その口栓の外形を目視するだけで、リング状バンド部４が破断している事実を外観的に明確に確認、判別することが容易な不正開封防止機能付きプラスチック口栓キャップを提供することにある。
【課題を解決するための手段】
【００１５】
本発明の請求項１に係る発明は、天板部１と、筒内周に螺子部２ａが設けられた円筒部２と、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に母線方向に、その円筒部２の下端まで１乃至複数のライン状溝部２ｃと、前記リング状バンド部４の外周に母線方向に、そのリング状バンド部４の下端の手前まで、前記ライン状溝部２ｃと同数又は異数の１乃至複数の切欠部又はハーフカット部６とを、各々外周の位相位置を整合させて設けたことを特徴とする不正開封防止機能付きプラスチック口栓キャップである。
【００１６】
本発明の請求項２に係る発明は、天板部１と、筒内周に螺子部２ａが設けられた円筒部２と、該円筒部２の外周に母線方向に微細凹凸ライン状に刻設されたローレット２ｂと、該円筒部２の下端部にハーフカット部３を介してリング状に連設された薄板状のリング状バンド部４と、該バンド部４の母線方向に設けた切欠部又はハーフカット部６と、該リング状バンド部４のリング内周下端にヒンジ５ａを介して該リング状バンド部４のリング内方中心に向かって略水平方向に延設した複数枚の係止板５とを備えた液体包装容器用口栓キャップにおいて、前記円筒部２の外周に母線方向に、その円筒部２の下端まで１乃至複数のライン状溝部２ｃと、前記リング状バンド部４の外周に母線方向に、そのリング状バ
ンド部４の下端の手前まで、前記ライン状溝部２ｃと同数又は異数の１乃至複数の切欠部又はハーフカット部６とを、各々外周の位相位置を整合させて設けたことを特徴とする不正開封防止機能付きプラスチック口栓キャップである。
【００１７】
本発明の請求項３に係る発明は、上記請求項１又は２に係る不正開封防止機能付きプラスチック口栓キャップにおいて、前記円筒部２の外周面からの前記ライン状溝部２ｃの深さが、０．５ｍｍ〜３ｍｍの範囲であることを特徴とする不正開封防止機能付きプラスチック口栓キャップである。
【発明の効果】
【００１８】
本発明の不正開封防止機能付きプラスチック口栓キャップによれば、図１〜図４に示すように、キャップ本体を構成する円筒部２の外周に母線方向に、その円筒部２の下端まで１乃至複数のライン状溝部２ｃと、リング状バンド部４の外周に母線方向に１乃至複数の切欠部６とを、各々外周の位相位置を整合させて設けたので、図５に示す容器２０の注出口部Ｂに螺着して施蓋閉栓した状態のキャップＡを、その円筒部２を手指にて掴み、開封方向に回転させることにより、図６に示すようにリング状バンド部を切欠部６を介して切り破り破断した後に、直ちに、該キャップＡの円筒部２を閉栓方向に回転して、開栓前の元の状態に螺着して閉栓した場合に、該キャップＡの円筒部２の外周に下端まで設けた母線方向の１乃至複数のライン状溝部２ｃによる平面視的な空間部２ｄが形成され、該空間部２ｄを介して、リング状バンド部４の外周に母線方向に設けた１乃至複数の切欠部６にて破断したリング状バンド部４の破断状態が目視によって容易に確認でき、そのために、開栓後に閉栓した口栓の外形を目視するだけで、開栓した事実、及びリング状バンド部４が破断している事実を、外観的に明確に確認、判別することができるものである。
【００１９】
また、本発明の不正開封防止機能付きプラスチック口栓キャップによれば、キャップ本体を構成する円筒部２の外周に母線方向に１乃至複数のライン状溝部２ｃと、リング状バンド部４の外周に母線方向に１乃至複数の切欠部６とを、各々外周の位相位置を整合させて設けたので、容器注出口部に螺着して施蓋閉栓した状態のキャップＡを、その円筒部２を手指にて掴み、開封方向に回転させることにより、図６に示すようにリング状バンド部を切欠部６を介して切り破り破断した後に、直ちに、該キャップＡの円筒部２を閉栓方向に回転して、開栓前の元の状態に螺着して閉栓した場合に、該キャップＡの円筒部２の外周に設けた母線方向の１乃至複数のライン状溝部２ｃと、リング状バンド部４の外周に母線方向に設けた１乃至複数の切欠部６との、円周上における位相位置が完全には整合せずに位置ズレが生じて、その位置ズレ状態を、該キャップＡの円筒部２の外周に下端まで設けた母線方向の１乃至複数のライン状溝部２ｃによる平面視的な空間部２ｄを通して明確に確認でき、そのために、開栓後に閉栓した口栓の外形を目視するだけで、開栓した事実、及びリング状バンド部４が破断している事実を、外観的に明確に確認、判別することが容易になるものである。
【発明を実施するための最良の形態】
【００２０】
本発明の不正開封防止機能付きプラスチック口栓キャップを、図１〜図４に示す実施の形態に基づいて以下に詳細に説明する。
【００２１】
図１（ａ）の斜視図、及び図１（ｂ）の上面図、及び図７（ａ）の側断面図、及び図７（ｂ）のＬ−Ｌ平面断面図に示すように、本発明の請求項１に係る不正開封防止機能付きプラスチック口栓キャップＡは、天板部１により一方が閉鎖された円筒部２の筒内周に螺子部２ａが設けら、該円筒部２の下端部には、ハーフカット部３を介してリング状に連設された薄板状のリング状バンド部４を備えている。
【００２２】
前記リング状バンド部４の母線方向には、図１（ａ）に示すように、該バンド部４を容
易に破断するための切欠部６又はハーフカット部６が設けられている。
【００２３】
前記リング状バンド部４のリング内周下端には、図７（ａ）の側断面図及び図７（ｂ）のＬ−Ｌ平面断面図に示すように、ヒンジ５ａを介して、該リング状バンド部４のリング内方中心に向かって略水平方向に延設した複数枚の係止板５を備えている。
【００２４】
図１（ａ）の側面図、図１（ｂ）の上面図に示すように、前記円筒部２の外周には、母線方向に、その円筒部２の下端まで１個所にライン状溝部２ｃが設けられ、前記リング状バンド部４の外周には、母線方向に１個所に切欠部６が設けられ、各々ライン状溝部２ｃと切欠部６とは、図示するように、円筒部２とリング状バンド部４のそれぞれ外周の位相位置を整合させて設けられている。
【００２５】
図１（ａ）の側面図、図１（ｂ）の上面図に示すように、本発明の請求項２に係る不正開封防止機能付きプラスチック口栓キャップＡは、上記請求項１に係るキャップＡにおいて、前記円筒部２の外周に、母線方向に微細凹凸ライン状にローレット２ｂが刻設されていて、キャップＡの円筒部２を手指にて掴んで回転させる際における摩擦力を高めるものである。
【００２６】
本発明の不正開封防止機能付きプラスチック口栓キャップＡにおいて、前記円筒部２のライン状溝部２ｃの円筒部２の外周面からの深さは、本発明においては特に限定されないが、例えば、０．５ｍｍ〜１．０ｍｍ、あるいは１．０ｍｍ〜３．０ｍｍ程度が適当である。
【００２７】
本発明の不正開封防止機能付きプラスチック口栓キャップの一実施の形態としては、図１（ａ）の斜視図、図１（ｂ）の上面図に示すように、前記円筒部２の外周には、母線方向に微細凹凸ライン状にローレット２ｂが刻設されていてもよいし、刻設されていなくてもよく、その円筒部２の外周の１個所には、その母線方向に、ライン状溝部２ｃが設けられ、リング状バンド部４の外周の１個所には、その母線方向に、切欠部６が設けられ、各々ライン状溝部２ｃと切欠部６とは、それぞれ外周の位相位置を整合させて設けられている。
【００２８】
本発明の不正開封防止機能付きプラスチック口栓キャップの他の実施の形態としては、図２（ａ）の斜視図、図２（ｂ）の上面図に示すように、前記円筒部２の外周には、母線方向に微細凹凸ライン状にローレット２ｂが刻設されていてもよいし、刻設されていなくてもよく、その円筒部２の外周の相対する２個所には、その母線方向に、ライン状溝部２ｃが設けられ、該ライン状溝部２ｃの真下に相当するリング状バンド部４の外周の１個所、又は互いに相対する２個所には、その母線方向に、リング状バンド部４の下端部に繋ぎ部６ａを残して切欠部６、又は該リング状バンド部４の外周を肉薄ライン状に刻切して形成したハーフカット部６が設けられ、前記各々ライン状溝部２ｃと切欠部６とは、それぞれ外周の位相位置を整合させて設けられている。
【００２９】
本発明の不正開封防止機能付きプラスチック口栓キャップのその他の実施の形態としては、図３（ａ）の斜視図、図３（ｂ）の上面図に示すように、前記円筒部２の外周には、母線方向に微細凹凸ライン状にローレット２ｂが刻設されていてもよいし、刻設されていなくてもよく、その円筒部２の外周の３個所には、その母線方向に、ライン状溝部２ｃが設けられ、該ライン状溝部２ｃの真下に相当するリング状バンド部４の外周の１個所乃至３個所には、その母線方向に、リング状バンド部４の下端部に繋ぎ部６ａを残して切欠部６、又は該リング状バンド部４の外周を肉薄ライン状に刻切して形成したハーフカット部６が設けられ、前記各々ライン状溝部２ｃと切欠部６とは、それぞれ外周の位相位置を整合させて設けられている。
【００３０】
本発明の不正開封防止機能付きプラスチック口栓キャップのその他の実施の形態としては、図４（ａ）の斜視図、図４（ｂ）の上面図に示すように、前記円筒部２の外周には、母線方向に微細凹凸ライン状にローレット２ｂが刻設されていてもよいし、刻設されていなくてもよく、その円筒部２の外周の４個所には、その母線方向に、ライン状溝部２ｃが設けられ、該ライン状溝部２ｃの真下に相当するリング状バンド部４の外周の１個所乃至４個所には、その母線方向に、リング状バンド部４の下端部に繋ぎ部６ａを残して切欠部６、又は該リング状バンド部４の外周を肉薄ライン状に刻切して形成したハーフカット部６が設けられ、前記各々ライン状溝部２ｃと切欠部６とは、それぞれ外周の位相位置を整合させて設けられている。
【００３１】
このように本発明の不正開封防止機能付きプラスチック口栓キャップＡは、図１〜図４に示すように、キャップＡ本体を構成する円筒部２の外周に母線方向に、その円筒部２の下端まで１乃至複数のライン状溝部２ｃと、リング状バンド部４の外周に母線方向に１乃至複数の切欠部６とを、各々外周の位相位置を整合させて設けられている。
【００３２】
本発明の不正開封防止機能付きプラスチック口栓キャップＡは、図７（ａ）の側断面図に示すように、キャップＡと、該キャップＡを螺着して閉栓した注出口部Ｂとから構成されている。そのキャップＡと注出口部Ｂの螺着、閉栓方法は、背景技術に説明したので省略する。
【００３３】
本発明の不正開封防止機能付きプラスチック口栓キャップＡを注出口部Ｂに螺着閉栓した不正開封防止機能付きプラスチック口栓は、図５に示すように、液体包装容器２０（例えば、液体包装用紙製容器、紙パック）の上面部２１に孔設した口栓取付孔に整合して、接着性樹脂層を介して貼着により取り付けられる。
【００３４】
図５に示す不正開封防止機能付きプラスチック口栓の閉栓状態のキャップＡを、その円筒部２を手指にて掴み、開栓（開封）方向に回転させることにより、リング状バンド部４の径の拡大により、該リング状バンド部４は、図６に示すように、その切欠部６の繋ぎ部６ａ（又はハーフカット形式の切欠部６）が切り破られて破断するとともに、リング状バンド部４の径の拡大と破断により、ハーフカット部３を介して、円筒部２より、リング状バンド部４が切り離されて、該口栓が開栓するものである。
【００３５】
図６に示すように、リング状バンド部４を、切欠部６を介して切り破り破断した後に、直ちに、該キャップＡの円筒部２を閉栓方向に回転して、開栓前の元の状態に螺着して閉栓した場合には、キャップＡの円筒部２とリング状バンド部４は、そのハーフカット部３にて密接するものの、該キャップＡの円筒部２の外周に下端まで設けた母線方向の１乃至複数のライン状溝部２ｃの下端には、上面視（平面視）的に空間部２ｄが形成される。
【００３６】
そして、そのライン状溝部２ｃ下端の空間部２ｄを介して、リング状バンド部４の外周に母線方向に設けた１乃至複数の切欠部６にて破断したリング状バンド部４の破断状態が目視によって容易に確認できる。
【００３７】
そのために、リング状バンド部４を切欠部６を介して切り破り破断した後（開栓後）に閉栓した前記口栓の外形を目視するだけで、前記空間部２ｄを通してリング状バンド部４の破断状態が目視によって容易に確認でき、開栓した事実、及びリング状バンド部４が破断している事実を、外観的に明確に確認、判別できる。
【００３８】
また、本発明の不正開封防止機能付きプラスチック口栓キャップによれば、キャップ本体を構成する円筒部２の外周に母線方向に１乃至複数のライン状溝部２ｃと、リング状バ
ンド部４の外周に母線方向に１乃至複数の切欠部６とを、各々外周の位相位置を整合させて設けたので、容器注出口部に螺着して施蓋閉栓した状態のキャップＡを、その円筒部２を手指にて掴み、開封方向に回転させることにより、リング状バンド部を切欠部６を介して切り破り破断した後に、直ちに、該キャップＡの円筒部２を閉栓方向に回転して、開栓前の元の状態に螺着して閉栓した場合に、該キャップＡの円筒部２の外周に設けた母線方向の１乃至複数のライン状溝部２ｃと、リング状バンド部４の外周に母線方向に設けた１乃至複数の切欠部６との、円周上における位相位置が完全には整合せず、そのために、開栓後に閉栓した口栓の外形を目視するだけで、開栓した事実、及びリング状バンド部４が破断している事実を、外観的に明確に確認、判別することが容易になるものである。
【図面の簡単な説明】
【００３９】
【図１】（ａ）は本発明の不正開封防止機能付きプラスチック口栓キャップの一実施の形態を説明する斜視図、（ｂ）はその上面図。
【図２】（ａ）は本発明の不正開封防止機能付きプラスチック口栓キャップの他の実施の形態を説明する斜視図、（ｂ）はその上面図。
【図３】（ａ）は本発明の不正開封防止機能付きプラスチック口栓キャップのその他の実施の形態を説明する斜視図、（ｂ）はその上面図。
【図４】（ａ）は本発明の不正開封防止機能付きプラスチック口栓キャップのその他の実施の形態を説明する斜視図、（ｂ）はその上面図。
【図５】本発明の不正開封防止機能付きプラスチック口栓キャップ及び注出口部からなる不正開封防止機能付きプラスチック口栓を取り付けた液体包装容器の外観斜視図。
【図６】本発明の不正開封防止機能付きプラスチック口栓キャップ及び注出口部からなる不正開封防止機能付きプラスチック口栓を開栓した後に閉栓した状態を説明する液体包装容器の外観斜視図。
【図７】（ａ）は一般的な不正開封防止機能付きプラスチック口栓の側断面図、（ｂ）はそのＬ−Ｌ平面断面図。
【図８】（ａ）は一般的な不正開封防止機能付きプラスチック口栓の側断面図、（ｂ）はそのＬ−Ｌ平面断面図。
【図９】一般的な不正開封防止機能付きプラスチック口栓を開栓してキャップからリング状バンド部をハーフカット３を介して切り離した状態の側断面図。
【図１０】（ａ）〜（ｄ）は一般的な各種の不正開封防止機能付きプラスチック口栓キャップの側面図。
【図１１】一般的な不正開封防止機能付きプラスチック口栓を取り付けた液体包装容器の外観斜視図。
【符号の説明】
【００４０】
Ａ…キャップ
Ｂ…注出口部
１…天板部                                                                    
２…円筒部
２ａ…螺子部
２ｂ…ローレット
２ｃ…ライン状溝部
３…ハーフカット部
４…リング状バンド部
５…係止板
５ａ…ヒンジ部
５ｂ…係止板先端部
６…切欠部（又はハーフカット部）
６ａ…繋ぎ部
２０…容器
２１…上面部
【図１】
2006021782.tif 000003
【図２】
2006021782.tif 000004
【図３】
2006021782.tif 000005
【図４】
2006021782.tif 000006
【図５】
2006021782.tif 000007
【図６】
2006021782.tif 000008
【図７】
2006021782.tif 000009
【図８】
2006021782.tif 000010
【図９】
2006021782.tif 000011
【図１０】
2006021782.tif 000012
【図１１】
2006021782.tif 000013